(57)【要約】【課題】ヒーター加熱用にハンドル部を２ピース構成とすること。【解決手段】表側把手部材１２の端面に設けた凸部１６を裏側把手部材１１のスリット部１５を案内にして、樹脂枠前面３に設けた凹部１７に勘合させると同時に、表側把手部材１１の背面を裏側把手部材１１のスリット部後壁１８で保持することで、ヒーター加熱時に高温となっても、裏側把手部材１１と飾り部材を兼ねた表側把手部材１２は一体となり、把手１の機能を十分に発揮する。【選択図】  図３
2004308951.tif 000002
【特許請求の範囲】
【請求項１】
被加熱物を収納するよう形成した加熱室と、前記加熱室に設けたヒーターと、開閉自在に設けられた扉と、裏側の把手部材と、飾り部材を兼ねる表側の把手部材が組み合わさって形成される把手部とを備え、前記扉は、把手部、樹脂枠および金属体とからなり、前記樹脂枠と前記飾り部材を兼ねた表側把手部材に凹凸形状を設けて勘合させる構成とするヒーター付き加熱装置の把手部。
【請求項２】
裏側の把手部材と、飾り部材を兼ねる表側の把手部材が組み合わさって形成される把手部とを備え、前記把手部材の双方を樹脂材料で構成する請求項１に記載のヒーター付き加熱装置の把手部。
【発明の詳細な説明】
【０００１】
【発明の属する技術分野】
本発明は、ヒーター付き加熱装置の開閉自在に設けられる扉部の把手部に関するものである。
【０００２】
【従来の技術】
従来、この種の扉として図面を参照して説明する。例えば、図４は、扉の把手部を示したものである（例えば特許文献１参照）。
【０００３】
図４において、２０は扉本体、２１はハンドルベース、２２は内側ハンドル部材、２３は外側ハンドル部材である。また、図５はこの縦断面図であり、２４は取付基部、２５はその取付用のビスである。これは冷蔵庫等のハンドル部であり、扉部２０とハンドル部２２の取付はビス２５のみによる簡単なものである。
【０００４】
また、図６は、ヒーター付高周波加熱装置の扉部分を示したものである（例えば特許文献２参照）。
【０００５】
図６において、２６は把手、２７は扉の樹脂枠、２８は樹脂枠前面、２９は排気口、３０は扉の金属体、３１は吸気口、３２は熱遮蔽版である。
【０００６】
ヒーター加熱装置の付いた扉前面樹脂部２８の中央上部は高温となるため、人の手が触れる部分は、図６のような吸気口３１からの上昇気流が排気口２９に抜けるような冷却構成で、樹脂枠前面２８を冷却している。ただ、把手部分２６は、扉の開閉や加熱装置の移動の際にも持たれるために、扉の金属体３０と強固な固定が必要となる。そのために、把手２６と金属体３０との接合部は高温となってしまう。
【０００７】
【特許文献１】
特開平３−１５８６８８号公報
【特許文献２】
特開２００２−３４０３４３号公報
【０００８】
【発明が解決しようとする課題】
しかしながら、前記従来の構成では、ヒーター加熱時の扉の金属体は高温となり、２部品での把手を構成した場合に、扉中央部分での把手部品同士間の熱膨張により隙間が発生するという課題を有していた。
【０００９】
本発明は、前記従来の課題を解決するもので、把手を２部品で構成しながら、扉との固着性を高めることを可能としたヒーター付加熱装置の把手部を提供することを目的とする。
【００１０】
【課題を解決するための手段】
前記従来の課題を解決するために、本発明のヒーター付加熱装置の把手部は、２ピース構成の把手部の扉への固定部分に凹部、凸部が互いに勘合する構成とし、更に扉の樹脂枠との接合により、熱時の変形、外れを防止するものである。
【００１１】
【発明の実施の形態】
請求項１に記載の発明は、被加熱物を収納するよう形成した加熱室と、前記加熱室に設けたヒーターと、開閉自在に設けられた扉と、裏側の把手部材と、飾り部材を兼ねる表側の把手部材が組み合わさって形成される把手部とを備え、前記扉は、把手部、樹脂枠および金属体とからなり、前記樹脂枠と前記飾り部材を兼ねた表側把手部材に凹凸形状を設けて勘合させる構成を設けることにより、熱時の変形、膨張を防止し、２ピース部分の外れを防止することができる。
【００１２】
請求項２に記載の発明は、裏側の把手部材と、飾り部材を兼ねる表側の把手部材が組み合わさって形成される把手部とを備え、前記把手部材の双方を樹脂材料で構成することにより、双方の熱時の伸張、圧縮の差を抑えると同時に、扉本体からの熱伝導を把手部に伝えにくくすることができる。
【００１３】
【実施例】
以下本発明の実施例について、図１、図２、図３を参照しながら説明する。
【００１４】
（実施例）
図１は、本発明の実施例におけるヒーター付加熱装置の扉を開けた状態の図を示すものである。図１において、外箱６内には加熱室７を設け、加熱室７内にはヒーター８、９を収納する。外箱６の前面側には開閉自在な扉５を設け、扉５の前面部には扉５を開閉するための把手１を設ける。
【００１５】
図２は、図１の扉５の構成を示した外観斜視図である。図２において、樹脂枠２の上面側には排気口４を設け、１０は扉５の前面に設けたスクリーンである。図１での把手１は２部品で構成され、裏側把手部材１１と飾り部材を兼ねた表側把手部材１２とで構成され、樹脂枠前面３を介して、扉５に固着されている。
【００１６】
図３は、図２の扉５の要部構成を示した断面図である。図３において、裏側把手部材１１に飾り部材を兼ねた表側把手部材１２の端面をスリット１５を通して挿入し、２部品が一体となって把手１となるよう構成され、表側把手部材の凸部１６は、樹脂枠前面３に設けた凹部１７に勘合し、同時に裏側把手部材１１のスリット部１５の後壁１８によって保持されるため、表側把手部材１２は裏側把手部材１１と密着する。裏側把手部材のツメ部１９は、裏側把手部材１１が金属体１３および樹脂枠前面３を介して、取付ビス１４で固定されるまでの仮固定用のものである。
【００１７】
以上のように、構成されたヒーター付加熱装置の扉把手１について、以下、その動作・作用を説明する。表側把手部材１２の端面に設けた凸部１６を裏側把手部材１１のスリット部１５を案内にして、樹脂枠前面３に設けた凹部１７に勘合させると同時に、表側把手部材１１の背面を裏側把手部材１１のスリット部後壁１８で保持することで、ヒーター加熱時に高温となっても、裏側把手部材１１と飾り部材を兼ねた表側把手部材１２は一体となり、把手１の機能を十分に発揮する。
【００１８】
また、裏側把手部材１１と表側把手部材１２の双方を樹脂材料で構成することにより、金属体１３からビス１４を介して、裏側把手部材１１に伝わった熱を把手１の人が触れる部分への熱伝導を抑え、同時に、裏側把手部材１２と表側把手部材１１の熱変形による接合部分の隙間発生を防止ができる。
【００１９】
【発明の効果】
以上のように、請求項１に記載の発明によれば、ヒーター付加熱装置において、２部品構成における把手の構成が可能となり、外観的に大幅なイメージの変更が可能となると同時に、高温時にも把手部がしっかりと扉部に固着させることが可能となり、高付加価値のヒーター付加熱装置の把手部を提供することができる。
【００２０】
また、請求項２に記載の発明によれば、扉の金属体から伝導する伝導熱を樹脂材料を使用することによって、把手部全体の温度を抑えることができ、近年、商品に対して感覚面での要求の厳しい触感を和らげるヒーター付加熱装置の把握手部を提供することができる。
【図面の簡単な説明】
【図１】本発明の実施例におけるヒーター付き加熱装置の外観正面図
【図２】本発明の実施例におけるヒーター付き加熱装置の扉部の外観斜視図
【図３】本発明の実施例における扉部の要部断面図
【図４】従来の冷蔵庫等のハンドル部断面図
【図５】従来の冷蔵庫等のハンドル部側断面図
【図６】従来のヒーター付高周波加熱装置の扉部断面図
【符号の説明】
１  把手
２  樹脂枠
３  樹脂枠前面
４  排気口
５  扉
６  外箱
７  加熱室
８  ヒーター
９  ヒーター
１０  前面ガラス
１１  裏側把手部材
１２  表側把手部材
１３  金属体
１４  ビス
１５  裏側把手部材スリット部
１６  表側把手部材凸部
１７  樹脂枠前面凹部
１８  裏側把手部材後壁
１９  裏側把手部材ツメ部
２０  扉本体
２１  ハンドルベース
２２  内側ハンドル部材
２３  外側ハンドル部材
２４  取付基部
２５  ビス
２６  把手
２７  樹脂枠
２８  樹脂枠前面
２９  排気口
３０  金属体
３１  吸気口
３２  熱遮蔽板
【図１】
2004308951.tif 000003
【図２】
2004308951.tif 000004
【図３】
2004308951.tif 000005
【図４】
2004308951.tif 000006
【図５】
2004308951.tif 000007
【図６】
2004308951.tif 000008